(57)【要約】【課題】棒状の化粧料が収納される化粧料容器であって、化粧料が充填されたカートリッジを容器本体に対して着脱自在に構成して、容器本体に対してカートリッジの交換ができるようにした化粧料容器において、カートリッジと容器本体との着脱を磁石を用いて行うものでありながら、磁石の磁力が容器の外部に漏れないようにする。【解決手段】棒状化粧料が充填される有底筒状のカートリッジ体（３）を有底筒状の容器本体（２）内に抜き差し自在に取付けてなるカートリッジ式棒状化粧料容器（１）において、前記容器本体の筒奥内部には磁石（６）を設けるとともに、カートリッジ体の下端部には磁石に吸着する吸着部材（１４）を設けて、該磁石と吸着部材との磁着によってカートリッジ体が容器本体に固定支持されるようにした。【選択図】図１
2013172888.tif 000002
【特許請求の範囲】
【請求項１】
棒状化粧料が充填される有底筒状のカートリッジを有底筒状の容器本体内に抜き差し自在に取付けてなるカートリッジ式棒状化粧料容器において、
カートリッジは、筒部に螺旋ガイドが形成される螺旋筒体と、該螺旋筒体に対して内外二重筒状に組込まれ、筒部に軸方向に長い縦ガイドが形成される身筒体と、二重筒内に配されていて前記棒状化粧料の充填がなされ、螺旋ガイドと縦ガイドとに係合する係合突起が設けられる中皿とを備えていて、
中皿を、前記螺旋筒体と身筒体との相対回動によって係合突起が螺旋ガイドと縦ガイドとに案内されてカートリッジ内を上下昇降するように構成すると共に、
前記身筒体、螺旋筒体のうちの内側に配される筒体と容器本体とは、抜き差し方向の相対移動は許容されるが、周回り方向の相対回動は規制されるように組付けられるものとし、
前記容器本体の筒奥内部には磁石が設けられ、
前記内側筒体の底部には、磁石に吸引されてカートリッジを容器本体に支持するための磁性体が設けられていることを特徴とするカートリッジ式棒状化粧料収納容器。
【請求項２】
前記容器本体には、磁石の磁力を遮蔽するための遮蔽部材が設けられていることを特徴とする請求項１記載のカートリッジ式棒状化粧料収納容器。
【請求項３】
遮蔽部材は、容器本体の底部に設けられていることを特徴とする請求項２記載の棒状化粧料容器。
【請求項４】
遮蔽部材は、容器本体の底部および筒部に設けられていることを特徴とする請求項２記載の棒状化粧料容器。
【請求項５】
磁石と遮蔽部材とのあいだには空隙が設けられていることを特徴とする請求項２、３または４記載の棒状化粧料収納容器。
【発明の詳細な説明】
【技術分野】
【０００１】
本発明は、口紅、ファンデーション、アイブロー等の棒状化粧料を収納するためのカートリッジ式棒状化粧料容器に関する。
【背景技術】
【０００２】
一般に、口紅やファンデーション等の棒状化粧料が収納される棒状化粧料容器には、化粧料が充填されるカートリッジを容器本体に対して着脱自在なものに構成して、容器本体及びキャップを再使用できるように構成したものが知られている。そしてこのようなカートリッジ式の棒状化粧料容器の場合、化粧料を使い切った後や、同じ容器本体を用いて例えば色が異なる化粧料を使用しようとする場合は、カートリッジを容器本体から抜き取り、新しいカートリッジ或いは異なる化粧料が充填されている別のカートリッジを再び容器本体に取付けて使用するよう構成されている。
【０００３】
このように化粧料が充填されるカートリッジを容器本体に対して着脱自在に構成した化粧料容器としては、特許文献１に開示されるように、容器本体側に係合部としての凸リブを形成する一方、カートリッジ側には前記凸リブに係合する凹溝を設けて、カートリッジ下端部を容器本体の開口部から奥部に向けて押し込むことによって前記凸リブに凹溝を係合させてカートリッジを容器本体に取付ける一方、カートリッジを容器本体から無理抜きすることで凹溝の凸リブへの係合を解除させてカートリッジを容器本体から抜き取るよう構成したものがある。
【０００４】
また、特許文献２に開示されるように、化粧料を昇降させるために容器本体に昇降自在に設けられる係合棒の上端部に磁石を設ける一方、前記係合棒に係合するための磁石をカートリッジの下端部に形成される係合孔にも設けて、両磁石の磁着によってカートリッジを容器本体に対して着脱自在となるように構成したものがある。
【先行技術文献】
【特許文献】
【０００５】
【特許文献１】実公平３−１７７８０号公報
【特許文献２】実公平２−３８６６０号公報
【発明の概要】
【発明が解決しようとする課題】
【０００６】
ところで、棒状化粧料が収納される化粧料容器を、容器本体と該容器本体に着脱自在なカートリッジとで構成する場合、カートリッジの容器本体に対する着脱は、簡単な操作でありながら確実になされるものであることが要求される。しかしながら、特許文献１に開示されるもののように、カートリッジ側の係合部である凹溝と容器本体側の係合部である凸リブとの係脱によって着脱するよう構成したものにあっては、これら凹溝や凸リブに僅かな寸法誤差があった場合でもスムーズな係脱が損なわれることがある。つまり、係合が緩くなってしまった場合には、容器使用中にカートリッジが容器本体から抜け落ちたりグラついたりする不具合が生じ、逆に係合がきつくなってしまった場合には、カートリッジの係脱に大きな力が必要となって操作がし辛くなる等の不具合が発生する。そしてこのような不具合のある棒状化粧料容器は不良品として廃棄せざるを得ず製造コストの増加に繋がり、またこのような不良品数を減少させるべく精度の高い製品を製造しようとするとやはり製造コストが増加するという問題が発生する。また、カートリッジの容器本体からの係脱を何度も繰り返しているうちに係合部が磨耗したり、或いは経年劣化によって変形が生じたりして、次第にカートリッジと容器本体との係脱がスムーズにできなくなるという問題も生じる。
【０００７】
また、特許文献２に開示されるものは、磁石の磁着によってカートリッジと容器本体とを着脱させるよう構成したものであるため、特許文献１のもののような係合部の寸法誤差による不具合や磨耗、劣化等による機能低下等の問題は生じないものの、磁石取付け部位が係合棒の上端部およびカートリッジの下端部であるため、カートリッジを交換する際にはカートリッジ及び係合棒に取付けられた磁石が共に外部に露出してしまい、カートリッジの交換作業中に磁石から発生する磁力が例えば近くにある磁気カードを破損する等、周囲のものに思わぬ影響を与えてしまう場合がある。しかもこのものは、昇降する係合棒の上端に磁石が設けられているため、該磁石は、係合棒を最も没入させた状態でも容器本体の開口に近い位置にあるだけでなく、係合棒を上昇させたときには容器本体の開口よりも上方に突出する姿勢になって、カートリッジを外したとき係合棒上端の磁石に周囲の磁性物質が磁着しやすく、そうすると該磁着した磁性物質が邪魔になってカートリッジを正規姿勢にセットできなくなる等の虞があり、これらに本発明が解決せんとする課題がある。
【課題を解決するための手段】
【０００８】
本発明は、上記の課題を解決するため鋭意創作されたものであって、請求項１の発明は、棒状化粧料が充填される有底筒状のカートリッジを有底筒状の容器本体内に抜き差し自在に取付けてなるカートリッジ式棒状化粧料容器において、カートリッジは、筒部に螺旋ガイドが形成される螺旋筒体と、該螺旋筒体に対して内外二重筒状に組込まれ、筒部に軸方向に長い縦ガイドが形成される身筒体と、二重筒内に配されていて前記棒状化粧料の充填がなされ、螺旋ガイドと縦ガイドとに係合する係合突起が設けられる中皿とを備えていて、中皿を、前記螺旋筒体と身筒体との相対回動によって係合突起が螺旋ガイドと縦ガイドとに案内されてカートリッジ内を上下昇降するように構成すると共に、前記身筒体、螺旋筒体のうちの内側に配される筒体と容器本体とは、抜き差し方向の相対移動は許容されるが、周回り方向の相対回動は規制されるように組付けられるものとし、前記容器本体の筒奥内部には磁石が設けられ、前記内側筒体の底部には、磁石に吸引されてカートリッジを容器本体に支持するための磁性体が設けられていることを特徴とするカートリッジ式棒状化粧料収納容器である。
請求項２の発明は、前記容器本体には、磁石の磁力を遮蔽するための遮蔽部材が設けられていることを特徴とする請求項１記載のカートリッジ式棒状化粧料収納容器である。
請求項３の発明は、遮蔽部材は、容器本体の底部に設けられていることを特徴とする請求項２記載の棒状化粧料容器である。
請求項４の発明は、遮蔽部材は、容器本体の底部および筒部に設けられていることを特徴とする請求項２記載の棒状化粧料容器である。
請求項５の発明は、磁石と遮蔽部材とのあいだには空隙が設けられていることを特徴とする請求項２、３または４記載の棒状化粧料収納容器である。
【発明の効果】
【０００９】
請求項１の発明とすることにより、カートリッジを容器本体内に磁着するための磁石は容器本体の筒奥内部に設けられることになって、容器本体の開口部では磁石の磁力が殆ど及ばない状態となり、カートリッジの交換作業中に近くの磁性物質が容器本体の開口部から侵入して容器本体の磁石に磁着したりすることがない。また、カートリッジの底部には界磁されていない磁性体が設けられるため、交換のためにカートリッジを置いた際に周辺にある磁性物質を磁着してしまうことがない。従って、容器本体にカートリッジを取付ける際に、磁石に余計な磁性物質が磁着してカートリッジが容器本体に正しく磁着しないという不具合を回避することができる。
請求項２の発明とすることにより、遮蔽部材によって容器本体に設けられる磁石の磁力が化粧料容器の外部に漏れないことになって、磁力が周囲のものに影響を与えたり、周囲の磁性物質が棒状化粧料容器の外面に磁着してしまうことがない。従って、例えば棒状化粧料容器を引き出しやバッグ等に入れたりする場合であっても、周辺にある磁気カードの磁気が破損したり磁性物質が磁着したりしてしまうことがない。
請求項３の発明とすることにより、特に容器本体の底部からの磁力の漏洩を防止することが出来る。
請求項４の発明とすることにより、特に容器本体の底部および筒部の両部位からの磁力の漏洩を防止することが出来る。
請求項５の発明とすることにより、磁力の漏洩をさらに確実に防止することが出来る。
【図面の簡単な説明】
【００１０】
【図１】本発明の第一の実施の形態における全体断面図である。
【図２】本発明の第一の実施の形態におけるカートリッジ体が容器本体に取付けられる様子を示す説明図である。
【図３】本発明の第二の実施の形態における全体断面図である。
【図４】本発明の第三の実施の形態における全体断面図である。
【図５】本発明の第四の実施の形態における全体断面図である。
【発明を実施するための形態】
【００１１】
以下、本発明の実施の形態について、図面に基づいて詳細に説明する。
図１において、１はカートリッジ式の棒状化粧料容器であって、該棒状化粧料容器1は、有底円筒状の容器本体２と、該容器本体２に抜き差し自在に取付けられる化粧料Ａが充填された有底筒状のカートリッジ体３と、該容器本体２の上半部及び容器本体２に取付けられたカートリッジ体３を覆蓋する有天筒状のキャップ４とで構成される。
【００１２】
容器本体２は、下半部の外側が有底筒状の袴筒５となっており、該袴筒５の内側には円筒状の磁石保持筒７が内嵌している。該磁石保持筒７の下端部内側には、円環状の磁石６が、外周面および上面の外縁部を磁石保持筒７の下端部によって保持された状態で配設されている。該磁石保持筒７は下端部外周面が大径となっており、該大径部の上端には段差部７ｇが形成されている。一方袴筒５の内側には円筒状の中具８が下半部を圧入させて内嵌しているが、該中具８の下端部８ｃは、袴筒５に内嵌した状態で前記段差部７ｇに突き当たるようになっており、これによって磁石保持筒７は袴筒５および中具８によって上下を挟持された状態で固定支持されている。
中具８の上半部は、袴筒５および磁石保持筒７の上端縁から上方に突出するように形成されているが、該突出部位の外周面は容器本体覆蓋時のキャップ４の下側内周面４ａが外嵌状に摺接するキャップ摺接部８ａとなっており、上端はカートリッジ体３が抜き差しされる容器本体開口部８ｂとなっている。
【００１３】
前記磁石保持筒７の内周面部上側には、縦軸方向に長い縦係合溝７ａが周回り方向に複数形成されており、該縦係合溝７ａに後述する身筒体１１の縦リブ１１ｃが縦軸方向に抜き差し自在ではあるが周回り方向には回動は規制された状態で係合することによってカートリッジ体３の身筒体１１が容器本体２と一体回動するようになっている。
【００１４】
また、磁石保持筒７の内周面部であって縦係合溝７ａより下側には、内径が小径となった小径部７ｂが形成されており、該小径部７ｂの上面は、容器本体２に挿入されるカートリッジ体３が突き当たるカートリッジ体突当たり面７ｃとなっている。そして、該カートリッジ体突当たり面７ｃにカートリッジ体３が突き当たることによってカートリッジ体３のこれより下方への挿入が規制されるとともにカートリッジ体３が容器本体２に対して取付け位置（磁着位置）に位置するようになっている。
【００１５】
そして、小径部７ｂの下面は、磁石保持筒７の下方に配される磁石６の上面６ａが当接する磁石当接面７ｄとなっており、該磁石当接面７ｄから磁石保持筒７の下端縁７ｅまでは、磁石６が保持される円筒状の磁石保持部７ｆとなっている。該磁石保持部７ｆは、保持される磁石６の下面６ｂが磁石保持筒７の下端縁７ｅと面一状となるように形成されており、このようにして磁石６が保持された状態で磁石保持筒７が袴筒５に組み込まれることによって、磁石６は上面６ａが小径部７ｂから覗く状態で磁石保持部７ｆと袴筒５の底面５ｂとのあいだで挟持状に固定支持されるようになっている。
【００１６】
磁石６は、カートリッジ体３に取付けられる磁性体である後述する吸着部材１４を磁着することが出来れば良いのであって、磁極はどのように配されていても良い。例えば上面にＳ極が配され下面にＮ極が配されたものでも良く、或いはその逆に配されたものでも良い。また、上面にＮ極とＳ極が隣り合うように配されたものでも良く、この場合はＮ極とＳ極とが各１極づつ配されたものでも良いし或いは２極以上の多極が配されたものでも良い。つまり、カートリッジ体３に設けられる磁性体を磁着する磁着力されあれば、磁極の配置は問わないものである。
【００１７】
一方、カートリッジ体３は、上端の開口部３ａから化粧料Ａが昇降自在に出没する筒状体であり、最も外側の筒体である把持筒９の内側には、筒部の内側面に螺旋溝（本発明の「螺旋ガイド」に相当する。）１０ａが刻設された螺旋筒体１０が、把持筒９に対して一体となる（相対回動しない）ように設けられている。そして該螺旋筒体１０の内側には、周面部に軸方向に長い縦孔（本発明の「縦ガイド」に相当する。）１１ａの複数（本実施の形態では一対）が周回り方向に間隙を存して形成された有底円筒状の身筒体１１が螺旋筒体１０に対して相対回動自在に設けられている。
【００１８】
身筒体１１の上端部には外径方向鍔状に膨出した膨出１１ｂが形成され、該膨出部１１ｂに螺旋筒体１０の上端部が当接した状態で組み込まれるようになっており、これによって螺旋筒体１０は身筒体１１に対して前記相対回動は維持される状態で軸方向上方には位置ずれしないようになっている。
一方、身筒体１１の下端部外周面には円環状のリング１２が一体的に取付けられており、該リング１２の上端部が螺旋筒体１０の下端部に当接する状態で組み込まれることによって、螺旋筒体１０は身筒体１１に対して前記相対回動が維持された状態で軸方向下方には位置ずれしないようになっている。
【００１９】
身筒体１１の内側には、中央部に化粧料Ａが充填される円筒状の中皿１３が上下方向移動自在に設けられているが、該中皿１３の外周面には前記縦孔１１ａを貫通して螺旋溝１０ａに係合する係合突起１３ａが突出形成されている。そして、前記螺旋筒体１０と身筒体１１との相対回動によって螺旋溝１０ａと縦孔１１ａとが相対回動し、これによって螺旋溝１０ａと縦孔１１ａの両方に係合する前記係合突起１３ａが、縦孔１１ａによって回動規制された状態で螺旋溝１０ａによって昇降案内されて身筒体１１内を上下縦線状に移動することになり、これによって中皿１３のカートリッジ体３内における上下昇降がなされ、該中皿１３に充填される化粧料Ａがカートリッジ体３の開口部３ａから出没自在となるよう構成されている。
【００２０】
身筒体１１の外周面で前記リング１２よりも下側の部位には、該身筒体１１の筒部下端にまで至る縦軸方向に長い縦リブ１１ｃが複数突出形成されており、該縦リブ１１ｃが前述の容器本体２に設けられる磁石保持筒７の縦係合溝７ａに係合することによって、身筒体１１は容器本体２に対して、回動が規制された状態で抜き差し自在となるよう構成されている。
該縦リブ１１ｃの上端部にはリング１２の下端部が当接するようになっており、これによってリング１２はカートリッジ体３の軸方向下方への位置ずれがないようになっている。
【００２１】
身筒体１１の底部中央には貫通孔１１ｄが穿設されているが、該貫通孔１１ｄの内周面には係止突起１１ｅが周回り方向に複数形成されている。そして、該貫通孔１１ｄには磁性体（鉄等の強磁性素材で形成されている。）である吸着部材１４が貫通取付けされている。吸着部材１４は、前記貫通孔１１ｄよりも大径で、カートリッジ体３が容器本体２に組み込まれたときには前述の磁石保持筒７の小径部７ｂに内嵌し、該内嵌することで前記磁石６の上面６ａと対向（接触）して磁着するリング状の円板部１４ａと、該円板部１４ａの内周縁から起立して前記貫通孔１１ｄを貫通する筒状の貫通筒部１４ｂとから構成され、該貫通筒部１４ｂの上部外周には貫通孔１１ｄに形成の前記係止突起１１ｅに無理嵌め状に係合して身筒体１１から抜け落ちないようにするための係合突条１４ｃが形成されている。そして、前記円板部１４ａが磁石６に磁着することによってカートリッジ体３が容器本体２に対して固定支持されるようになっている。
【００２２】
一方、前記容器本体開口部８ｂを覆蓋する有天円筒状のキャップ４は、容器本体２を覆蓋した状態では下端部４ｂが前記袴筒５の上端部５ａに当接し、下側内周面４ａが中具８のキャップ摺接部８ａに摺接するようになっている。また、キャップ４の上部内側にはインナーキャップ４ｃが内嵌組み込みされており、キャップ４が容器本体２を覆蓋した時に、該インナーキャップ４ｃによって把持筒９の上側外周面９ａが摺接支持されて、カートリッジ体３が容器本体２内でガタついたりしないようになっている。
【００２３】
叙述の如く構成された本発明の実施の形態において、まず容器本体２にカートリッジ体３を取付けるにあたっては、カートリッジ体３の下端部側を容器本体開口部８ｂから挿入して、該カートリッジ体３の下端部が磁石保持筒７のカートリッジ体突当たり面７ｃに突き当たるまで差し込む。すると容器本体２の内奥に設けられた磁石保持筒７の小径部７ｂに身筒体１１の底部中央に取付けられた吸着部材１４の円板部１４ａが内嵌することになり、これによって吸着部材１４の円板部１４ａが磁石保持部７ｆに保持される磁石６に磁着して、カートリッジ体２が容器本体３に抜止め状に組込まれる。
【００２４】
そして、このようにカートリッジ体３が容器本体２に組込まれた状態では、身筒体１１の下端部外周面に形成された縦リブ１１ｃが磁石保持筒７の内周面に形成された縦係合溝７ａに係合しているため、該カートリッジ体３は容器本体２に対して抜き差しは自在であるが回動は規制された状態で取付けられることになる。そして、このように縦リブ１１ｃが縦係合溝７ａに係合した状態では、容器本体２と身筒体１１とは一体回動することになるから、一方の手で容器本体２の袴筒５（または中具８）を把持し、他方の手でカートリッジ体３の把持筒９を把持して、該袴筒５と把持筒９とを相対回動させると、袴筒５と身筒体１１とは一体回動し、把持筒９と螺旋筒体１０とは一体回動するため、螺旋筒体１０と身筒体１１とは相対回動することになり、これによって中皿１３が身筒体１１の内側を昇降移動して中皿１３に充填された化粧料Ａがカートリッジ体３から出没することになる。
【００２５】
そして、化粧料Ａを使用した後は、化粧料Ａがカートリッジ体３の開口部３ａから突出しない高さに没するまで容器本体２とカートリッジ体３とを相対回動させてから、キャップ４の下端部４ｂが袴筒５の上端部５ａに突き当たるまでキャップ４をカートリッジ体３の開口部３ａから覆蓋すればよい。
【００２６】
一方、化粧料Ａを使い切った場合、或いはカートリッジ体３を別の色の化粧料が充填されているものと交換する場合、キャップ４を容器本体２から外した状態で、一方の手で袴筒５（または中具８）を把持し、他方の手で把持筒９を把持してカートリッジ体３を容器本体開口部８ｂから強制的に引き抜くと、吸着部材１４が磁石６との磁着力に抗して磁石６から引き離され、これによってカートリッジ体３は容器本体２から引き抜くことが出来る。
【００２７】
従って、化粧料を使用しきった後、或いは別の化粧料を使用する場合は、既に取付けられているカートリッジ体３を容器本体２から引き抜いて、新しく取付けようとするカートリッジ体３を容器本体開口部８ｂから挿入して、身筒体１１の底部に設けられる吸着部材１４が磁石保持筒７に形成されたカートリッジ体突当たり面７ｃに突き当たるまで挿入するだけでよい。
【００２８】
このように構成されるカートリッジ式棒状化粧料容器１は、磁石６が容器本体２の筒奥内部に取付けられていて容器本体開口部８ｂまでは遠いため、該開口部８ｂでの磁力は及ばないか僅かであり、この結果、カートリッジ体３の交換作業中に容器本体開口部８ｂから異物が吸い寄せられて磁石６に磁着してしまうような不具合が発生することがなく、円板部１４ａと磁石６とのあいだに異物が磁着することによるカートリッジ体３の容器本体２に対する正規の取付け姿勢が損なわれることがない。
また、カートリッジ体３の底部に設けられる吸着部材１４は界磁されていない磁性体であるため、交換時に周辺の磁性部材がカートリッジ体３に不用意に引き寄せられてしまう不具合がなく、また周辺の磁性部材に悪影響を与えてしまうこともない。
【００２９】
尚、本発明は、前記第一の実施の形態に限定されるものでないことは勿論であって、例えば後述する第二の実施の形態以降のようにしても実施することができる。
尚、第二の実施の形態において、第一の実施の形態と同じ構成のものは第一の実施の形態のものと同じ引出符号を付しており、詳細な説明については第一の実施の形態の記載を援用するものとする。これは後述する第三から第四の実施の形態についても同様とする。
まず、図３のものは本発明の第二の実施の形態であるが、該第二の実施の形態における磁石保持筒３０は、円筒状であって、袴筒５に一体的に内嵌するものであり、内周面部上側に身筒体１１の縦リブ１１ｂに係合する縦係合溝３０ａが形成され、筒部中央より下側には吸着部材１４の円板部１４ａが着脱自在に内嵌する小径部３０ｂが貫通形成され、該小径部３０ｂの上面はカートリッジ体突当たり面３０ｃとなり、下面は磁石当接面３０ｄとなっている。さらに、磁石保持筒３０の内周面には、磁石６の下面６ｂを係止する磁石係止部３０ｅが複数（本実施の形態では３つ）突出形成され、該磁石係止部３０ｅと前記磁石当接面３０ｄとのあいだに磁石６が挟持状に保持されるようになっている。
【００３０】
さらに磁石保持筒３０は、磁石６の下面６ｂよりも下方に延び、その下端部３０ｆには、該下端部３０ｆを覆蓋するようにして磁石６の磁力を遮蔽するための磁性体である遮蔽プレート３１が磁石６とは空隙Ｅを存するようにして取付けられており、該遮蔽プレート３１が取付けられることによって磁石６の磁力が、磁石保持筒３０の底部から漏出しないようになっている。そして磁石６と遮蔽プレート３１とのあいだには空隙Ｅがあることで、遮蔽プレート３１に達する磁力を低減させ、これによって遮蔽プレート３１を薄くしても磁力的に飽和することが回避され、軽量化が図れるようになっている。
【００３１】
また、図４は本発明の第三の実施の形態であるが、該第三の実施の形態における磁石保持筒４０は、円筒状であって、袴筒５に一体的に内嵌するものであり、内周面部上側に身筒体１１の縦リブ１１ｂに係合する縦係合溝４０ａが形成され、筒部中央部位には吸着部材１４の円板部１４ａが着脱自在に内嵌する小径部４０ｂが貫通形成され、該小径部４０ｂの上面はカートリッジ体突当たり面４０ｃとなり、下面は磁力遮蔽部材であるヨーク４１が当接するヨーク当接面４０ｄとなっている。
【００３２】
ヨーク４１は有底円筒状をしており、開口部には外径方向に延出した鍔部４１ａが形成されている。そして、円筒部内側の底面では磁石４２が接着剤Ｂによって接着されており、該磁石４２は接着された状態で該磁石４２の上面４２ａが鍔部４１ａの上面と面一状となっている。
【００３３】
そして、磁石保持筒４０の前記ヨーク当接面４０ｄから下端４０ｅまでは、ヨーク４１が保持される円筒状のヨーク保持部４０ｆとなっており、ヨーク４１が鍔部４１ａをヨーク当接面４０ｄに当接させてヨーク保持部４０ｆに内嵌した状態で、磁石４２の上面４２ａは小径部４０ｂの下端面と面一状となって該小径部４０ｂから覗く状態となり、これによって磁石４２の上面４２ａが小径部４０ｂに内嵌する円板部１４ａと面接触するようになっている。
【００３４】
このようにして磁石４２が接着されたヨーク４１がヨーク保持部４０ｆに組み込まれ、該ヨーク保持部４０ｆの組み込まれた磁石保持筒４０が袴筒５に組み込まれることによって、ヨーク４１はヨーク当接面４０ｄと袴筒５の底面５ｂとのあいだに挟持状に固定支持されるようになっている。
このように磁石４２がヨーク４１によって覆蓋された状態で容器本体２に組み込まれることによって、磁石４２の磁力が容器本体２の底部および側面から漏出しないようになっている。
【００３５】
また、図５は、本発明の第四の実施の形態であるが、この第四の実施の形態における磁石保持筒５０は、円筒状であって、袴筒５に一体的に内嵌するものであり、内周面部上側に身筒体１１の縦リブ１１ｂに係合する縦係合溝５０ａが形成され、筒部中央には吸着部材１４の円板部１４ａが着脱自在に内嵌する小径部５０ｂが貫通形成され、該小径部５０ｂの上面はカートリッジ体突当たり面５０ｃとなり、下面は磁力遮蔽部材であるヨーク５１が当接するヨーク当接面５０ｄとなっている。
【００３６】
ヨーク５１は有底円筒状をしており、開口端には外径方向に延出した鍔部５１ａが形成され、該鍔部５１ａが磁石保持筒５０のヨーク当接面５０ｄに下側から当接することでヨーク５１の上側への移動を規制している。さらに磁石保持筒５０の下端内面にはヨーク５１の底面５１ｂを支持するための支持突起５０ｅが形成されている。
【００３７】
さらにこのものは、磁石保持筒５０の下端５０ｆには、ヨーク５１の底面５１ｂとは空隙Ｆを存した状態で筒開口を覆蓋する磁性体である遮蔽プレート５３が取付けられている。
このようにヨーク５１の下側にさらに空隙Ｆを存して遮蔽プレート５３が取付けられることによって磁石５２からの磁力が一層磁石保持筒５０の底部および側面から漏出しないようになっている。
【００３８】
因みに、前記第二から第四の実施の形態のものは、磁石からの磁力線の漏洩がないようにするため、磁性体で構成されるヨークや遮蔽プレートを設けているが、これに限定されることなく、例えば袴筒や磁石保持筒自体を磁性体で形成して磁力線の遮蔽をするようにしてもよい。
【産業上の利用可能性】
【００３９】
本発明は、口紅、マニキュア、ファンデーション等の化粧料を収納するためのカートリッジ式化粧料容器の分野に利用可能である。
【符号の説明】
【００４０】
１      棒状化粧料容器
２      容器本体
３      カートリッジ体
６      磁石
１０    螺旋筒体
１１    身筒体
１３    中皿
１３ａ  係合突起
１４    吸着部材
【図１】
2013172888.tif 000003
【図２】
2013172888.tif 000004
【図３】
2013172888.tif 000005
【図４】
2013172888.tif 000006
【図５】
2013172888.tif 000007